(57)【特許請求の範囲】
【請求項１】
上部の穀粒貯留室７から下部の穀粒乾燥室８へ穀粒を繰出し流下させ再び穀粒貯留室７に戻るよう循環させながら、機壁４外側面に装着したバ−ナケ−ス１４の左右一方側に内装したバ−ナ３から発生する乾燥熱風を送風室１０から該乾燥室８へ通風して熱風乾燥すべく設けると共に、該バ−ナケ−ス１４の左右他方側に空間部を形成し、このケース１４の該空間部を有する側の前側面部１５には前操作用窓１７ａを、この空間部の側面部１６には横操作用窓１７ｂを夫々設け、上記バーナケース１４の内側には、箱状でその表面板に張込、乾燥及び排出の各作業を始動する始動手段３８、停止する停止手段３９、仕上目標水分を設定する水分設定抓み４０、穀物種類設定抓み４１及び張込量設定抓み４２を設けた操作装置１８を取り付け換え自在に設け、上記前操作用窓１７ａ、又は該横操作用窓１７ｂのいずれか一方の側からこれらの始動手段３８、停止手段３９または各設定抓み４０，４１，４２を運転操作可能に設けたことを特徴とする穀粒乾燥機の運転操作装置。
【発明の詳細な説明】
【０００１】
【産業上の利用分野】
この発明は、穀粒乾燥機の運転操作装置に関する。
【０００２】
【従来の技術】
従来は、穀粒乾燥機の穀粒貯留室内へ収容した穀粒は、機壁外側面に装着した操作装置を操作することにより、この穀粒乾燥機が始動されて、該貯留室から穀粒乾燥室へ繰出し流下されて循環されながら、該機壁外側面の該操作装置の下側に装着したバ−ナケ−スに内装したバ−ナから発生する乾燥熱風は、送風室から該乾燥室を通過することにより、この乾燥熱風に晒されて乾燥される。
【０００３】
【発明が解決しようとする課題】
この穀粒乾燥作業の前段で、穀粒を乾燥機へ張込する張込作業のときに、作業場へ該乾燥機を据付けるレイアウトの関係で、昇穀機へ昇穀機用張込ホッパを装着して、この昇穀機用張込ホッパから穀粒を張込する場合と、機壁横側に設けた横張込ホッパから穀粒を張込する場合との両者があり、このため操作装置は、所定の位置へ装着されたままであることにより、張込作業をしながら、該操作装置を操作することができないことがあったが、これをいずれの側からでも該操作装置の操作を可能にして、操作を容易にしようとするものである。
【０００４】
【課題を解決するための手段】
この発明は、上部の穀粒貯留室７から下部の穀粒乾燥室８へ穀粒を繰出し流下させ再び穀粒貯留室７に戻るよう循環させながら、機壁４外側面に装着したバ−ナケ−ス１４の左右一方側に内装したバ−ナ３から発生する乾燥熱風を送風室１０から該乾燥室８へ通風して熱風乾燥すべく設けると共に、該バ−ナケ−ス１４の左右他方側に空間部を形成し、このケース１４の該空間部を有する側の前側面部１５には前操作用窓１７ａを、この空間部の側面部１６には横操作用窓１７ｂを夫々設け、上記バーナケース１４の内側には、箱状でその表面板に張込、乾燥及び排出の各作業を始動する始動手段３８、停止する停止手段３９、仕上目標水分を設定する水分設定抓み４０、穀物種類設定抓み４１及び張込量設定抓み４２を設けた操作装置１８を取り付け換え自在に設け、上記前操作用窓１７ａ、又は該横操作用窓１７ｂのいずれか一方の側からこれらの始動手段３８、停止手段３９または各設定抓み４０，４１，４２を運転操作可能に設けたことを特徴とする穀粒乾燥機の運転操作装置の構成とする。
【０００５】
【発明の作用】
穀粒乾燥機の穀粒貯留室７内へ収容した穀粒は、前側の機壁４外側面に装着したバ−ナケ−ス１４に内装した操作装置１８を操作用窓１７ａ、又は操作用窓１７ｂにより操作することにより、この穀粒乾燥機が始動されて、該貯留室７から穀粒乾燥室８へ繰出し流下させて循環されながら、該バ−ナケ−ス１４に内装したバ−ナ３から発生する乾燥熱風は、送風室１０から該乾燥室８を通過することにより、この乾燥熱風に晒されて乾燥される。
【０００６】
この穀粒乾燥作業の前段で、穀粒を乾燥機へ張込する張込作業を行うが、作業場に対する乾燥機の据付レイアウトの関係で、張込作業を機体前部、又は横部のいずれかの側から張込することになる。穀粒乾燥機の機体前部から張込作業を行うときは、バ−ナケ−ス１４へ取り付ける操作装置１８を、このバ−ナケ−ス１４の前側面部１５に形成した操作用窓１７ａから操作できる位置へ装着してその表面板に設けた始動手段３８、停止手段３９、各設定抓み４０，４１，４２を操作する。又機体横部から張込作業を行うときは、該バ−ナケ−ス１４へ取り付ける該操作装置１８は、このバ−ナケ−ス１４の右側面部１６の操作用窓１７ｂから操作できる位置へ取り付け換えして、この操作装置１８の表面板に設けた始動手段３８、停止手段３９または各設定抓み４０，４１，４２を張込作業を行う面側から操作する。
【０００７】
【発明の効果】
操作装置１８を前部、又は横部へ取り付け換えできることにより、張込作業を行う側、即ち前操作用窓１７ａ、又は横操作用窓１７ｂのいずれか一方の側から該操作装置１８の始動手段３８、停止手段３９または各設定抓み４０，４１，４２を操作できることとなり、操作が容易になった。又バ−ナケ−ス１４へ内装したことにより、カバ−が簡素化できてコストダウンとなると共に、バ−ナ３及び該操作装置１８の配線をネズミに喰われることが防止できた。
【０００８】
【実施例】
以下、本発明の一実施例を図面に基づいて説明する。図例は、穀粒を乾燥する循環型の穀粒乾燥機１に穀粒の水分を検出する水分センサ２及び熱風が発生するバ−ナ３等を装着した状態を示すものである。前記乾燥機１は、前後方向に長い長方形状で機壁４上部には、移送螺旋を回転自在に内装した移送樋５及び天井板６を設け、この天井板６下側には穀粒を貯留する穀粒貯留室７を形成している。
【０００９】
穀粒乾燥室８，８は、貯留室７下側において、左右両側の排風室９，９と中央の送風室１０との間に設け、これら乾燥室８，８下部には、穀粒を繰出し流下させる繰出バルブ１１を夫々回転自在に軸支している。集穀樋１２は、移送螺旋を回転自在に軸支し、各乾燥室８，８下側に設けて連通させている。この集穀樋１２を形成する右側機壁４には、穀粒を張込する開閉自在な横張込ホッパ１３を設け、該集穀樋１２内へ穀粒を張込する構成である。
【００１０】
前記バ−ナ３は、箱形状のバ−ナケ−ス１４の一方側（左側）に内装して設け、このバ−ナケ−ス１４は、前側機壁４正面側において、送風室１０入口側に対応すべくこの前側機壁４外側面に着脱自在に設け、該バ−ナケ−ス１４の他方側（右側）の前側面部１５には前操作用窓１７ａと、右側面部１６には横操作用窓１７ｂとを設け、乾燥機１、水分センサ２及び該バ−ナ３等を張込、乾燥及び排出の各作業別に始動及び停止操作する操作装置１８は、該バ−ナケ−ス１４内の右側部へ、図１の如く該前操作用窓１７ａより操作可能にボルト１９及びナット２０等で着脱自在に装着し、又図２の如く該バ−ナケ−ス１４内の右側部の該横操作用窓１７ｂより操作可能に該ボルト１９及び該ナット２０等で取り付け換え自在に設ける構成としている。
【００１１】
排風機２１は、後側機壁４で、左右の排風室９，９に連通すべく設けた排風路室２２中央部側排風胴２３に設け、又この後側機壁４には、この排風機２１を回転駆動する排風機モ−タ２４を設けている。バルブモ−タ２５は、繰出バルブ１１，１１を減速機構を介して回転駆動させている。
【００１２】
燃料ポンプ２６は、燃料バルブ（図示せず）を有して、バ−ナケ−ス１４内に設け、この燃料バルブの開閉により、この燃料ポンプ２６で燃料タンク２７内の燃料を吸入して、バ−ナ３へ供給させている。送風機２８は、該バ−ナケ−ス１４内に設け、変速用の送風機モ−タ２９で変速回転駆動させ、供給燃料量に見合った燃焼用空気を該バ−ナ３へこの送風機２８で送風させている。該バ−ナ３から発生する熱風と該バ−ナケ−ス１４内を通過する外気風とが混合して乾燥熱風になる構成である。
【００１３】
拡散盤３０は、移送樋５底板の前後方向中央部で、移送穀粒を貯留室７へ供給する供給口の下側に設け、該貯留室７へ穀粒を均等に拡散還元させている。昇穀機３１は、前記機壁４外側部に設けられ、内部にはバケットコンベア３２付ベルトを張設してなり、上端部には、移送樋５始端部との間において投出筒３３を設けて連通させて、下端部は、集穀樋１２終端部との間において供給樋３４を設けて連通させている。該昇穀機３１前側面には、穀粒を張込する昇穀機用張込ホッパ３５を着脱自在に設けている。乾燥機１の据付けレイアウトの関係で、これら張込ホッパ１３，３５のいずれかを選択して使用する構成であり、これら使用する張込ホッパ１３，３５により、操作装置１８の取り付け方向が決定される構成である。
【００１４】
昇穀機モ−タ３６は、バケットコンベア３２付ベルト、移送樋５内の移送螺旋、拡散盤３０及び集穀樋１２内の移送螺旋等を回転駆動させている。前記水分センサ２は、昇穀機３１の上下方向ほぼ中央部に設け、この水分センサ２は、操作装置１８からの電気的測定信号の発信により、水分モ−タ３７が回転してこの水分センサ２の各部が回転駆動され、バケットコンベア３２で上部へ搬送中に落下する穀粒を受け、この穀粒を挾圧粉砕しながら、この粉砕穀粒の水分を検出させている。
【００１５】
前記操作装置１８は、箱形状でこの箱体の表面板には、乾燥機１、水分センサ２及びバ−ナ３等を張込、乾燥及び排出の各作業別に始動操作する押ボタン方式でＯＮ−ＯＦＦスイッチの各始動手段３８、停止操作する停止手段３９、穀粒の仕上目標水分を操作位置によって設定する水分設定抓み４０、該バ−ナ３から発生する熱風の温度を操作位置によって設定する穀物種類設定抓み４１及び張込量設定抓み４２、各種表示項目をデジタル表示する表示部４３を設け、該各設定抓み４０，４１，４２はロ−タリ−スイッチ方式とし、操作位置によって所定の数値及び種類等が設定される。
【００１６】
以下、上記実施例の作用について説明する。穀粒乾燥機１を作業場へ据付けするレイアウトの関係で、張込作業を行う位置を右側の横機壁４に設けた横張込ホッパ１３を選択すると、操作装置１８は、バ−ナケ−ス１４の横操作用窓１７ｂから操作できる側の該バ−ナケ−ス１４内へ装着し、又張込作業を行う位置を昇穀機３１に設けた昇穀機用張込ホッパ３５を選択すると、該操作装置１８は、該バ−ナケ−ス１４の前操作用窓１７ａから操作できる側の該バ−ナケ−ス１４内へ装着する。
【００１７】
いずれか側へ装着した操作装置１８の各設定抓み４０，４１，４２を所定位置へ操作し、乾燥作業を開始する始動手段３８を操作することにより、穀粒乾燥機１が始動し、バ−ナ３から熱風が発生し、この熱風と外気風とが混合した乾燥熱風は、送風室１０から各穀粒乾燥室８，８を通過して各排風室９，９及び排風路室２２を経て排風機２１で吸引排風される。
【００１８】
穀粒貯留室７内へ収容された穀粒は、この貯留室７から各乾燥室８，８内を流下中に、乾燥熱風に晒されて乾燥され、各繰出バルブ１１，１１で繰出されて流下して、集穀樋１２から供給樋３４を経て昇穀機３１内へ下部の移送螺旋で移送供給され、バケットコンベア３２で上部へ搬送され、投出筒３３から移送樋５を経て拡散盤３０上へ上部の移送螺旋で移送供給され、この拡散盤３０で該貯留室７内へ均等に拡散還元されて循環乾燥される。
【００１９】
水分センサ２が、水分設定抓み４０の操作で設定した仕上目標水分と同じか、又は以下の穀粒水分を検出すると、乾燥が終了したとして、操作装置１８で自動制御して乾燥機１が自動停止され、穀粒の乾燥が停止される。図７及び図８は、他の実施例を示す図で、図７の如くバ−ナケ−ス４４のバ−ナ３内装の反対側（右側）の上面側部４５には上操作用窓４６を設け、又この上操作用窓４６の上側には、開閉自在で透明部材よりなる開閉板４７を設け、図８の操作装置４８は、該バ−ナケ−ス４４内の右側部へ、該上操作用窓４６より操作可能にボルト４９及びナット５０等で着脱自在に装着している。該操作装置４８を操作するときは、該開閉板４７を開状態に操作して行う構成である。
【００２０】
上記により、操作装置４８をバ−ナケ−ス４４へ内装したことにより、コストダウンが可能となり、該操作装置４８の位置が従来品に比較して下部へ下ったこととなり、操作性の向上及び視認性が向上した。又操作装置４８とバ−ナ３とを連接するハ−ネス等も短かくすることができた。図９〜図１７は、他の実施例を示す図で、図９の如く穀粒乾燥機５１の穀粒貯留室７内には、天井板６から吊り下げ状態に、張込穀粒量を検出するレベルセンサ５２を設け、このレベルセンサ５２は左右両側の樹脂フィルム内に、穀粒で押されてＯＮするスイッチを上下方向に所定間隔で所定の張込穀粒の石数別に設け、下部より順次穀粒で押されてＯＮされ、このＯＮ状態が操作装置５３に内装した制御装置５４へ順次入力され、これら入力された最上段のＯＮスイッチ位置まで穀粒が張込されていると検出する構成であり、該操作装置５３は前機壁４外側面へ着脱自在に設けている。
【００２１】
前記操作装置５３は、箱形状でこの箱体の表面板には、各種項目を、例えば液晶形式などによって表示する表示手段５５、この表示手段５５下側には、乾燥機５１の各種機能を設定する複数個の押ボタン方式でＯＮ−ＯＦＦスイッチの機能設定手段５６ａ，５６ｂ，５６ｃ，５６ｄ及び停止装置する停止手段５７を設け、これら機能設定手段５６ａ，５６ｂ，５６ｃ，５６ｄの操作で設定する各種機能は、該表示手段５５へ表示させている。
【００２２】
張込、乾燥及び排出の各作業開始前のこれら機能設定手段５６ａ，５６ｂ，５６ｃ，５６ｄの機能表示は、図１２如く張込、乾燥、排出及び変更と表示手段５５へ表示させている。又穀物種類及び乾燥モ−ド等を設定するときのこれら機能設定手段５６ａ，５６ｂ，５６ｃ，５６ｄの機能表示は、図１３の如く穀物、モ−ド、変更及び戻りと該表示手段５５へ表示させている。
【００２３】
制御装置５４は、操作装置５３内に設け、籾流れセンサ５８、レベルセンサ５２の検出入力、デジタル情報の入力、各機能設定手段５６ａ，５６ｂ，５６ｃ，５６ｄ及び停止手段５７の操作が入力されるデジタル入力回路Ａ５９アナログセンサ情報の入力、水分センサ２及び熱風温センサ６０が検出する検出値が入力されるアナログ入力回路６１、Ａ−Ｄ変換回路６２、シリアルデ−タ受信回路６３、メモリクリア６４が入力されるデジタル入力回路Ｂ６５、これら各入力回路５９，６１，６２，６３，６５からの入力を算術論理演算及び比較演算等を行う乾燥機制御用マイコン６６及びメモリ６７、この乾燥機制御用マイコン６６からの指令で出力回路Ａ６８を経て排風機モ−タ２４を始動及び停止制御し、出力回路Ｂ６９を経てバルブモ−タ２５及び昇穀機モ−タ３６を始動及び停止制御し、出力回路Ｂ６９を経てバルブモ−タ２５及び昇穀機モ−タ３６を始動及び停止制御し、出力回路Ｃ７０を経て燃料バルブ及び燃料ポンプ２６を始動、停止及び調節制御し、出力回路Ｄ７１を経て送風機モ−タ２９を始動、停止及び調節制御し、出力回路Ｅ７２を経て水分モ−タ３７を始動及び停止制御し、表示回路７３を経て表示手段５５へ各種項目を表示制御し、シリアルデ−タ送信回路７４及び不揮発メモリ７５等によりなる構成としている。
【００２４】
以下、上記他の実施例の作用について説明する。レベルセンサ５２の点検を行うときは、図１４の如く機能設定手段５６ｄを操作して、オ−プニング画面を選択する。図１５の如く試運転と表示の機能設定手段５６ａを操作して、試運転モ−ドを選択する。図１６の如く表示の試運転設定項目から、項目切替と表示の機能設定手段５６ａを操作して、張込（レベルセンサチェック）を選択する。該レベルセンサ５２のスイッチ部を、乾燥機５１内へ入って下部より順次ＯＦＦ→ＯＮ→ＯＦＦの操作を行うことにより、この操作がメモリ６７へ記憶される。この操作して記憶後に、表示手段５５へこの記憶を表示させると、図１７の如くグラフィックへ下部より順次点滅表示される。又、例えば下より２段目のスイッチに不具合があると、このスイッチのＯＮが記憶されてないために、該表示手段５５のグラフィックの下より２段目が点滅しないことにより、下より２段目のスイッチが不具合であると容易に判定できる。
【００２５】
上記により、従来はレベルセンサ５２の点検は、乾燥機１内に入って、ＯＦＦ→ＯＮ→ＯＦＦを操作する人と、外で操作装置５３の表示手段５５を見て下部より順次レベルセンサ５２がＯＮされているか判定する人との２人作業であったが、これを１人で点検作業ができるようにした。
【図面の簡単な説明】
図は、この発明の一実施例を示すものである。
【図１】要部の拡大正面斜視図。
【図２】要部の拡大正面斜視図。
【図３】操作装置の拡大正面図。
【図４】穀粒乾燥機の全体側面斜視図。
【図５】穀粒乾燥機の一部破断せる全体側面図。
【図６】図５のＡ−Ａ拡大断面図。
【図７】他の実施例を示す図で、バ−ナボックス部の拡大正面斜視図。
【図８】他の実施例を示す図で、操作装置の拡大正面図。
【図９】他の実施例を示す図で、穀粒乾燥機の一部破断せる全体側面図。
【図１０】他の実施例を示す図で、図９のＢ−Ｂ拡大断面図。
【図１１】他の実施例を示す図で、ブロック図。
【図１２】他の実施例を示す図で、操作装置の拡大正面図。
【図１３】他の実施例を示す図で、操作装置の拡大作用正面図。
【図１４】他の実施例を示す図で、操作装置の作用表示拡大図。
【図１５】他の実施例を示す図で、操作装置の作用表示拡大図。
【図１６】他の実施例を示す図で、操作装置の作用表示拡大図。
【図１７】他の実施例を示す図で、操作装置の作用表示拡大図。
【符号の説明】
３    バ−ナ
４    機壁
７    穀粒貯留室
８    穀粒乾燥室
１０    送風室
１４    バ−ナケ−ス
１５    前側面部
１６    右側面部
１７ａ  前操作用窓
１７ｂ  横操作用窓
１８    操作装置
３８    始動手段
３９    停止手段
４０    水分設定抓み
４１    穀物種類設定抓み
４２    張込量設定抓み
【図１】
0003658772.tif 000002
【図２】
0003658772.tif 000003
【図３】
0003658772.tif 000004
【図４】
0003658772.tif 000005
【図５】
0003658772.tif 000006
【図６】
0003658772.tif 000007
【図７】
0003658772.tif 000008
【図８】
0003658772.tif 000009
【図９】
0003658772.tif 000010
【図１０】
0003658772.tif 000011
【図１１】
0003658772.tif 000012
【図１２】
0003658772.tif 000013
【図１３】
0003658772.tif 000014
【図１４】
0003658772.tif 000015
【図１５】
0003658772.tif 000016
【図１６】
0003658772.tif 000017
【図１７】
0003658772.tif 000018